(57)【要約】      （修正有）【課題】パレットに積載した荷物にラップ包装するとき、ラップのロールの回転に伴って摩擦熱を生ずるので、この摩擦熱から両手を保護し、容易にかつ安全にラップの巻付け操作をするためのハンドルを提供する。【解決手段】パレットに積載した荷物にラップ包装するとき、ラップのロールの回転に伴って生ずる摩擦熱から両手を防護するために、ラップのロールの軸穴に挿入して嵌め合わせる長軸と短軸であって、かつ、受け具及びクッションを両端のグリップの内側に設置したハンドルからなっている。【選択図】図１
0003172972.tif 000002
【実用新案登録請求の範囲】
【請求項１】
パレットに積載した荷物をラップ包装するとき、ラップのロ−ルの回転に伴って生ずる摩擦熱から両手を防護するために、ラップのロールの軸穴に挿入して嵌め合わせる長軸と短軸であって、かつ、その両端のグリップの内側に受け具及びクッションを設置したハンドル。
【考案の詳細な説明】
【技術分野】
【０００１】  この考案は、パレットに積載した荷物のラップ包装に伴って生ずる摩擦熱から両手を防護するために、ラップのロールの軸穴と押して、ラップの巻付けをするハンドルである。
【背景技術】
【０００２】  コンテナに紙類等の荷物を積載して運搬するとき、荷物の積降を容易にするために、通常、パレットという箱型の積み台を用いる。しかし、これは、コンテナの運行に伴って、パレットに積載した荷物を散乱させるおそれがある。【０００３】  そこで、パレットに積載した荷物の周囲にラップという透明な薄幕を巻き付けて包装すれば、コンテナを運行したとしても、パレットに積載した荷物を散乱させることにはならない。【０００４】  しかし、ラップを巻き込んだロールの軸穴を両手で挟み、かつ、両手を使ってロールを回転させながら操作するので、これに伴って生ずる摩擦熱によって両手が熱くなり、この作業の継続が困難となる。
【考案の開示】
【考案が解決しようとする課題】
【０００５】  この考案が解決しようする問題点は、次の通りである。【０００６】  先ず、コンテナに配置したパレットに紙類等の荷物を積載して運搬するとき、これらの荷物の散乱を防ぐためには、パレットに積載した荷物にラップを巻き付けて包装する必要がある。【０００７】  次に、パレットに積載した荷物にラップを巻き付けて包装するとき、ラップのロールの軸穴に両手を挟み、ロールを回転させるので、これに伴って生ずる摩擦熱から両手を保護する必要がある。
【課題を解決するための手段】
【０００８】  この考案が解決する手段は、次の通りである。【０００９】  先ず、ラップのロール（８）の軸穴（９）に両手を挟み、かつ、ロール（８）を回転させながら、パレットに積載した荷物を包装するとき、これに伴って生ずる摩擦熱から両手を保護するハンドル（１）である。【００１０】  次に、ラップのロール（８）の軸穴（９）の両側から挿入しかつ嵌め合わせる長軸（２）と短軸（３）からなり、また、この両端を両手で掴むグリップ（５）に受け具（６）及びクッション（７）を設置したハンドル（１）である。
【考案を実施するための形態】
【００１１】  この考案の実施の形態は、次の通りである。
【００１２】  図１に示すように、長軸（２）と短軸（３）からなるハンドル（１）である。
【００１３】  図２に示すように、両端のグリップ（５）に受け具（６）及びクッション（７）を設置したハンドル（１）である。
【００１４】  図３に示すように、ラップのロール（８）の軸穴（９）の両側から挿入できるハンドル（１）である。
【考案の効果】
【００１５】  この考案の効果は、次の通りである。
【００１６】  先ず、このハンドル（１）は、長軸（２）と短軸（３）からなり、また、接合具（４）を長軸（２）に接着するので、ラップのロール（８）の軸穴（９）に長軸（２）と短軸（３）を挿入して、容易にかつ完全に嵌め合わせすることができる。
【００１７】  次に、このハンドル（１）は、両端のグリップ（５）に受け具（６）及びクッション（７）を設置するので、ラップのロール（８）の回転によって生ずる摩擦熱から両手を保護して、ラップの巻き付け操作を継続することができる。
【００１８】  最後に、このハンドル（１）は、ラップのロール（８）の軸穴（９）に容易にかつ完全に嵌め合わせ、かつ、ラップの巻き付けを安全に操作することができるので、パレットに積載した荷物の運搬を効率よくすることができる。
【図面の簡単な説明】
【００１９】
【図１】  この考案に係るハンドル（１）を構成する長軸（２）と短軸（３）を示す図面である。
【図２】  この考案に係るハンドル（１）を構成する長軸（２）と短軸（３）を嵌め合わせた状態を示す図面である。
【図３】  この考案に係るハンドル（１）をラップのロール（８）の軸穴（９）に通した状態を示す図面である。
【符号の説明】
【００２０】        １  ハンドル
２  長軸
３  短軸
４  接合具
５  グリップ
６  受け具
７  クッション
８  ラップのロ−ル
９  ロールの軸穴
【実施例】
【００２１】  この考案の実施例は、次の通りである。【００２２】  この考案は、パレットに積載した荷物にラップを巻き付けるとき、ラップのロール（８）の回転に伴って生ずる摩擦熱から両手を保護するために、ラップのロール（８）の軸穴（９）に通して両手で巻付け操作するハンドル（１）である。【００２３】  先ず、ハンドル（１）は、ラップのロール（８）の軸穴（９）に挿入して接続し、また、両手で巻付け操作する装置である。この装置は、パレットに積載した荷物をパレット包装するときに使用する。【００２４】  この装置は、長軸（２）と短軸（３）を接続したハンドル（１）を本体とし、受け具（６）及びクッション（７）をハンドル（１）の両端に位置するグリップ（５）の内側に設置する。【００２５】  ハンドル（１）は、長軸（２）と短軸（３）という部品から構成されている。ハンドル（１）は、ラップのロ−ル（８）の軸穴（９）に通して操作するものであるから、ロールよりも長さを有する。【００２６】  長軸（２）と短軸（３）の長さは、約３対１の割合である。長軸（２）の先端には、短軸（３）を嵌め込み、一本のハンドル（１）とするために、接合部（４）を接着する。【００２７】  ハンドル（１）は、ラップのロール（８）の軸穴（９）に通して両手で操作するために、軽量な素材であることを必要とする。塩化ビニール管等が適当である。【００２８】  受け具（６）は、ハンドル（１）の両端のグリップ（５）を握る両手を保護するために、ハンドル（１）の内側の場所に設置し、また、ロール（８）の回転を妨げないように、半円錐形の形状をもたせる。【００２９】  クッション（７）は、ラップのロールの回転に伴う摩擦熱を完全に解消しかつ衝撃から両手を保護するために、受け具（６）に付着する。【００３０】  受け具（６）は、摩擦熱を伝導しにくい素材であることを必要とするために、塩化ビニール等が適当であり、また、クッション（７）は、摩擦熱や衝撃を遮断する素材であることを必要とするために、発泡スチロール等が適当である。【００３１】  次に、ハンドル（１）は、ラップのロール（８）の軸穴（９）に長軸（２）を挿入し短軸（３）を接続し一体とし、また、パレットに積載した荷物の周囲について、ラップの巻き付け操作をする。
【図１】
0003172972.tif 000003
【図２】
0003172972.tif 000004
【図３】
0003172972.tif 000005